(57)【特許請求の範囲】
【請求項１】
互いに接続されたデジタルカメラ装置およびプリンタ装置において、前記デジタルカメラ装置には前記プリンタ装置の動作に関するスクリプトを記述するためのスクリプト記述手段と、前記スクリプトを前記プリンタ装置に送信する通信手段とを備え、前記プリンタ装置には前記スクリプトを受信する通信手段と、前記スクリプトを解析して実行するためのスクリプト処理手段とを備え、
前記スクリプト記述手段は、前記デジタルカメラ装置の撮像画像をプリンタ装置で印刷するまでの一連の流れを示したスクリプトを該撮像画像の何番目を何枚、用紙にどのように配置して印刷するのかの内容を含めて記述し、
前記スクリプト処理手段は、前記スクリプトに基づき、前記デジタルカメラ装置を操作し、読み取った撮像画像を前記プリンタ装置に転送して印刷させることを特徴とするプリントシステム。
【請求項２】
前記プリンタ装置には、前記スクリプトを蓄積するためのストレージ及びスクリプト保存手段を備えることを特徴とする請求項１記載のプリントシステム。
【請求項３】
デジタルカメラ装置と接続可能なプリンタ装置であって、前記デジタルカメラ装置で記述された該デジタルカメラ装置の撮像画像の何番目を何枚、用紙にどのように配置して印刷するのかの内容を含んだ前記プリンタ装置の動作に関するスクリプトを受信する通信手段と、前記スクリプトを解析して実行するためのスクリプト処理手段とを備え、
前記スクリプト処理手段は、前記スクリプトに基づき、前記デジタルカメラ装置を操作し、読み取った撮像画像を前記プリンタ装置に転送して印刷させることを特徴とするプリント装置。
【請求項４】
プリンタ装置と接続可能なデジタルカメラ装置であって、前記プリンタ装置の動作に関するスクリプトを記述するためのスクリプト記述手段と、前記スクリプトを前記プリンタ装置に送信する通信手段とを備え、
前記スクリプト記述手段は、前記デジタルカメラ装置の撮像画像をプリンタ装置で印刷するまでの一連の流れを示したスクリプトを該撮像画像の何番目を何枚、用紙にどのように配置して印刷するのかの内容を含めて記述し、
前記スクリプトは、前記プリンタ装置から前記デジタルカメラ装置を操作し、読み取った撮像画像を前記プリンタ装置へ転送して前記撮影画像を印刷させるスクリプトであることを特徴とするデジタルカメラ装置。
【発明の詳細な説明】
【０００１】
【発明の属する技術分野】
本発明は、インターネットまたはネットワーク上の入力機器からデータを直接印刷するネットワークプリントシステムに関するものである。
【０００２】
【従来の技術】
以下、図２６〜図２８を参照しながら、従来のネットワークプリントシステムを説明する。通常のネットワークプリントにはプリントサーバーコンピュータのスプーラを経由して出力される方法と、直接プリンタに出力される方法とがあるが、ここでは直接プリンタに出力する場合について述べる。
【０００３】
図２６に示すように、コンピュータ２７とプリンタ装置１は同一ネットワーク上に接続されている。図２７はネットワークプリントを制御するための構成要素を示している。コンピュータ２７はプリンタドライバ２９及び通信手段２８から構成されており、プリンタ装置１は通信手段７及び印刷手段９から構成されている。
【０００４】
以上のように構成されたネットワークプリントシステムにおいて、コンピュータ上のアプリケーションから印刷する場合の動作について説明する。
【０００５】
コンピュータ２７上のアプリケーション（図示せず）から印刷する場合はプリンタドライバ２９に必要な情報及び指示を行う（ステップＳ１）。次にプリンタドライバ２９はアプリケーションのデータをプリンタ装置１が解釈できる印刷データを作成し（ステップＳ２)、通信手段２８からプリンタ装置１に送信する（ステップＳ３）。
【０００６】
転送されたデータは、プリンタ装置１の通信手段７で受信され（ステップＳ４）、通常、一旦ページメモリ（図示せず）に蓄積され、最終的な印刷形式に変換されて印刷出力される（ステップＳ５）。
【０００７】
このように、ネットワーク上でのプリントは前記それぞれの通信手段においてあらかじめ通信方法の手順が定められている場合が一般的である。
【０００８】
【発明が解決しようとする課題】
これまで、プリンタはコンピュータからの印刷が一般的であった。しかし、近年において、スキャナ装置や電子黒板装置、デジタルカメラ装置といった入力装置が接続されるようになり、直接プリンタ装置に印刷する利用形態が増えてきた。
【０００９】
しかし、デジタルカメラ装置が直接プリンタに印刷する場合、１つ１つの処理を操作パネルから順次処理しており、いくつかの処理をまとめてバッチ処理することはできなかった。
【００１０】
そこで、本発明は、デジタルカメラ装置からプリンタに直接出力する場合、いくつかの処理をバッチ的に処理することが可能となるプリントシステムを提供することを目的とする。
【００１１】
【課題を解決するための手段】
この課題を解決するために、本発明のプリントシステムは、互いに接続されたデジタルカメラ装置およびプリンタ装置において、前記デジタルカメラ装置には前記プリンタ装置の動作に関するスクリプトを記述するためのスクリプト記述手段と、前記スクリプトを前記プリンタ装置に送信する通信手段とを備え、前記プリンタ装置には前記スクリプトを受信する通信手段と、前記スクリプトを解析して実行するためのスクリプト処理手段とを備え、前記スクリプト記述手段は、前記デジタルカメラ装置の撮像画像をプリンタ装置で印刷するまでの一連の流れを示したスクリプトを該撮像画像の何番目を何枚、用紙にどのように配置して印刷するのかの内容を含めて記述し、前記スクリプト処理手段は、前記スクリプトに基づき、前記デジタルカメラ装置を操作し、読み取った撮像画像を前記プリンタ装置に転送して印刷させるように構成している。
【００１２】
これにより、デジタルカメラ装置からプリンタに出力する場合、複数の処理をバッチ的に処理することが可能となる。
【００１３】
【発明の実施の形態】
本発明の請求項１記載の発明は、互いに接続されたデジタルカメラ装置およびプリンタ装置において、前記デジタルカメラ装置には前記プリンタ装置の動作に関するスクリプトを記述するためのスクリプト記述手段と、前記スクリプトを前記プリンタ装置に送信する通信手段とを備え、前記プリンタ装置には前記スクリプトを受信する通信手段と、前記スクリプトを解析して実行するためのスクリプト処理手段とを備え、前記スクリプト記述手段は、前記デジタルカメラ装置の撮像画像をプリンタ装置で印刷するまでの一連の流れを示したスクリプトを該撮像画像の何番目を何枚、用紙にどのように配置して印刷するのかの内容を含めて記述し、前記スクリプト処理手段は、前記スクリプトに基づき、前記デジタルカメラ装置を操作し、読み取った撮像画像を前記プリンタ装置に転送して印刷させるプリントシステムであり、プリンタ装置において複数の処理をバッチ的に処理することが可能となるという作用を有する。
【００１４】
本発明の請求項２記載の発明は、前記プリンタ装置には前記スクリプトを蓄積するためのストレージ及びスクリプト保存手段を備えることを特徴とする請求項１記載のプリントシステムであり、前記スクリプトを蓄積した後処理ができるという作用を有する。
【００１７】
本発明の請求項３記載の発明は、デジタルカメラ装置と接続可能なプリンタ装置であって、前記デジタルカメラ装置で記述された該デジタルカメラ装置の撮像画像の何番目を何枚、用紙にどのように配置して印刷するのかの内容を含んだ前記プリンタ装置の動作に関するスクリプトを受信する通信手段と、前記スクリプトを解析して実行するためのスクリプト処理手段とを備え、前記スクリプト処理手段は、前記スクリプトに基づき、前記デジタルカメラ装置を操作し、読み取った撮像画像を前記プリンタ装置に転送して印刷させる構成であり、デジタルカメラ装置から直接データを印刷する処理をバッチ処理でおこなうことを可能とする作用を有する。
【００２２】
本発明の請求項４記載の発明は、プリンタ装置と接続可能なデジタルカメラ装置であって、前記プリンタ装置の動作に関するスクリプトを記述するためのスクリプト記述手段と、前記スクリプトを前記プリンタ装置に送信する通信手段とを備え、前記スクリプト記述手段は、前記デジタルカメラ装置の撮像画像をプリンタ装置で印刷するまでの一連の流れを示したスクリプトを該撮像画像の何番目を何枚、用紙にどのように配置して印刷するのかの内容を含めて記述し、前記スクリプトは、前記プリンタ装置から前記デジタルカメラ装置を操作し、読み取った撮像画像を前記プリンタ装置へ転送して前記撮影画像を印刷させるスクリプトであり、スクリプト記述が可能となる作用を有する。
【００２３】
以下、本発明の実施の形態について、図１乃至図２１を用いて説明する。尚、これらの図面において同一の部材には同一の符号を付しており、また、重複した説明は省略されている。
【００２４】
（実施の形態１）
図１は本発明の実施の形態１におけるネットワークプリントシステムを示すブロック図、図２は図１のネットワークプリントシステムの各構成要素を詳細に示すブロック図、図３は図１のネットワークプリントシステムの動作を示すフローチャートである。
【００２５】
図１に示すように、本実施の形態のネットワークプリントシステムでは、操作用コンピュータである操作制御装置１とプリンタ装置１及びスキャナ装置３は同一のネットワーク４上に接続されている。
【００２６】
そして、図２に示すように、操作制御装置２はスクリプト記述手段５と、ネットワーク４上での通信を行う通信手段６からなる。また、プリンタ装置１は、ネットワーク４上での通信を行う通信手段７、スクリプトを解釈して処理するスクリプト処理手段８、印刷手段９からなる。ここでの印刷手段９は従来のプリンタ装置に備わっているコントローラ部からエンジン部までをすべて総称している。更に、スキャナ装置３は、ネットワーク４上での通信を行う通信手段１０、原稿を読み取るための読取手段１１からなる。
【００２７】
以上のように構成されたネットワークプリントシステムにおいて、スキャナ装置３で読み取った原稿画像をプリンタ装置１で印刷するまでの処理を、図３を用いて説明する。
【００２８】
まず、操作制御装置２のスクリプト記述手段５において、スキャナ装置３で原稿画像を読み取ってプリンタ装置１で印刷するまでの一連の流れを示したスクリプトを記述する（ステップＳ１）。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００２９】
受け取ったスクリプトは、スクリプト処理手段８によって内容を解析され（ステップＳ５）、通信手段７からスキャナ装置３に対して原稿画像の読取りとプリンタ装置１への送信が指示される（ステップＳ６）。一方、スキャナ装置３では、プリンタ装置１からの指示を通信手段１０で受けて、実際に読取手段１１によって原稿画像の読取りを実行し、更に、データを通信手段１０からプリンタ装置１の通信手段７に送信する（ステップＳ７）。
【００３０】
その後、プリンタ装置１で受け取られた原稿画像は印刷手段９によって印刷出力されて（ステップＳ８）、一連のスクリプト処理が完了する。
【００３１】
以上のように、本発明の実施の形態によれば、操作制御装置２とプリンタ装置１とスキャナ装置３がネットワーク４に接続され、操作制御装置２からプリンタ装置１に対してスクリプトを送信するようにしているので、スキャナ装置３から原稿画像を読み取ってプリンタ装置１で出力する一連の処理をバッチ的に行うことができる。
【００３２】
（実施の形態２）
図４は本発明の実施の形態２におけるネットワークプリントシステムの各構成要素を詳細に示すブロック図、図５は図４のネットワークプリントシステムの動作を示すフローチャートである。
【００３３】
図４に示すように、本実施の形態のネットワークプリントシステムでは、プリンタ装置１に関して、受信したスクリプトを一旦保存するためのスクリプト保存手段１２とストレージ１３が更に設けられている点で実施の形態１に示すものと異なっている。
【００３４】
以上のように構成されたネットワークプリントシステムにおいて、スキャナ装置３で読み取った原稿画像をプリンタ装置１で印刷するまでの処理を、図５を用いて説明する。
【００３５】
まず、操作制御装置２のスクリプト記述手段５において、スキャナ装置３で原稿画像を読み取ってプリンタ装置１で印刷するまでの一連の流れを示したスクリプトを記述する（ステップＳ１）。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００３６】
受け取ったスクリプトは、一旦スクリプト保存手段１２によってストレージ１３に蓄えられる（ステップＳ５）、次にスクリプト処理手段８によって順番に読みこまれた後、内容が解析され（ステップＳ６）、通信手段７からスキャナ装置３に対して原稿画像の読取りとプリンタ装置１への送信が指示される（ステップＳ７）。一方、スキャナ装置３では、プリンタ装置１からの指示を通信手段１０で受けて、実際に読取手段１１によって原稿画像の読取りを実行し、更に、データを通信手段１０からプリンタ装置１の通信手段７に送信する（ステップＳ８）。
【００３７】
その後、プリンタ装置１で受け取られた原稿画像は印刷手段９によって印刷出力されて（ステップＳ９）、一連のスクリプト処理が完了する。
【００３８】
以上のように、本発明の実施の形態によれば、プリンタ装置１に関して、受信したスクリプトを一旦保存するためのスクリプト保存手段１２とストレージ１３が更に設けられているので、利用者が複数同時に操作指示を行っても、同時に操作指示を完了することが可能となる。
【００３９】
（実施の形態３）
図６は本発明の実施の形態３におけるネットワークプリントシステムを示すブロック図、図７は図６のネットワークプリントシステムの各構成要素を詳細に示すブロック図、図８は図６のネットワークプリントシステムの動作を示すフローチャートである。
【００４０】
図６に示すように、本実施の形態のネットワークプリントシステムでは、入力装置がスキャナ装置３から電子黒板装置１４に替わっている点で実施の形態１及び実施の形態２に示すものと異なっている。
【００４１】
図７に示すように電子黒板装置１４は、ネットワーク４上での通信を行う通信手段１５と黒板画像をスキャンして読み取る読取手段１６を備えている。
【００４２】
以上のように構成されたネットワークプリントシステムにおいて、電子黒板装置１４で読み取った黒板画像をプリンタ装置１で印刷するまでの処理を、図８を用いて説明する。
【００４３】
まず、操作制御装置２のスクリプト記述手段５において、電子黒板装置１４で黒板画像を読み取ってプリンタ装置１で印刷するまでの一連の流れを示したスクリプトを記述する（ステップＳ１）。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００４４】
受け取ったスクリプトは、一旦スクリプト保存手段１２によってストレージ１３に蓄えられる（ステップＳ５）、次にスクリプト処理手段８によって順番に読みこまれた後、内容が解析され（ステップＳ６）、通信手段７から電子黒板装置１４に対して黒板画像の読取りとプリンタ装置１への送信が指示される（ステップＳ７）。一方、電子黒板装置１４では、プリンタ装置１からの指示を通信手段１５で受けて、実際に読取手段１６によって黒板画像の読取りを実行し、更に、データを通信手段１５からプリンタ装置１の通信手段７に送信する（ステップＳ８）。
【００４５】
その後、プリンタ装置１で受け取られた黒板画像は印刷手段９によって印刷出力されて（ステップＳ９）、一連のスクリプト処理が完了する。
【００４６】
以上のように、本発明の実施の形態によれば、操作制御装置２とプリンタ装置１と電子黒板装置１４がネットワーク４に接続され、操作制御装置２からプリンタ装置１に対してスクリプトを送信するようにしているので、電子黒板装置１４から黒板画像を読み取ってプリンタ装置１で出力する一連の処理をバッチ的に行うことができる。
【００４７】
また、プリンタ装置１に関して、受信したスクリプトを一旦保存するためのスクリプト保存手段１２とストレージ１３が設けられているので、利用者が複数同時に操作指示を行っても、同時に操作指示を完了することが可能となる。
【００４８】
（実施の形態４）
図９は本発明の実施の形態４におけるネットワークプリントシステムを示すブロック図、図１０は図９のネットワークプリントシステムの各構成要素を詳細に示すブロック図、図１１は図９のネットワークプリントシステムの動作を示すフローチャートである。
【００４９】
図９に示すように、本実施の形態のネットワークプリントシステムでは、入力装置がスキャナ装置３からデジタルカメラ装置１７に替わっている点で実施の形態１及び実施の形態２に示すものと異なっている。
【００５０】
図１０に示すようにデジタルカメラ装置１７は、ネットワーク４上での通信を行う通信手段１８と写真画像を読み込む読込手段１９を備えている。
【００５１】
以上のように構成されたネットワークプリントシステムにおいて、デジタルカメラ装置１７の写真画像をプリンタ装置１で印刷するまでの処理を、図１１を用いて説明する。
【００５２】
まず、操作制御装置２のスクリプト記述手段５において、デジタルカメラ装置１７の写真画像をプリンタ装置１で印刷するまでの一連の流れを示したスクリプトを記述する（ステップＳ１）。例えば、ここでは、写真画像の何番目を何枚印刷するか、あるいは、用紙にどのように配置して出力するかといった内容もスクリプトによって記述することができる。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００５３】
受け取ったスクリプトは、一旦スクリプト保存手段１２によってストレージ１３に蓄えられる（ステップＳ５）、次にスクリプト処理手段８によって順番に読み込まれた後、内容が解析され（ステップＳ６）、通信手段７からデジタルカメラ装置１７に対して写真画像の読込みとプリンタ装置１への送信が指示される（ステップＳ７）。一方、デジタルカメラ装置１７では、プリンタ装置１からの指示を通信手段１８で受けて、実際に読込手段１９によって写真画像の読込みを実行し、更に、データを通信手段１８からプリンタ装置１の通信手段７に送信する（ステップＳ８）。
【００５４】
その後、プリンタ装置１で受け取られた写真画像は印刷手段９によって印刷出力されて（ステップＳ９）、一連のスクリプト処理が完了する。
【００５５】
以上のように、本発明の実施の形態によれば、操作制御装置２とプリンタ装置１とデジタルカメラ装置１７がネットワーク４に接続され、操作制御装置２からプリンタ装置１に対してスクリプトを送信するようにしているので、デジタルカメラ装置１７から写真画像を読み込んでプリンタ装置１で出力する一連の処理をバッチ的に行うことができる。
【００５６】
また、プリンタ装置１に関して、受信したスクリプトを一旦保存するためのスクリプト保存手段１２とストレージ１３が設けられているので、利用者が複数同時に操作指示を行っても、同時に操作指示を完了することが可能となる。
【００５７】
（実施の形態５）
図１２は本発明の実施の形態５におけるネットワークプリントシステムを示すブロック図、図１３は図１２のネットワークプリントシステムの各構成要素を詳細に示すブロック図、図１４は図１２のネットワークプリントシステムの動作を示すフローチャートである。
【００５８】
図１２に示すように、本実施の形態のネットワークプリントシステムでは、入力装置がスキャナ装置３からインターネットＷＷＷサーバー２０に代わっている点で実施の形態１及び実施の形態２に示すものと異なっている。
【００５９】
図１３に示すようにインターネットＷＷＷサーバー２０は、ネットワーク４上に接続されており、インターネット経由で文書データや画像データ（以下インターネットドキュメントと称する）をダウンロードできる環境となっている。
【００６０】
以上のように構成されたネットワークプリントシステムにおいて、インターネットＷＷＷサーバー２０のインターネットドキュメントをプリンタ装置１で印刷するまでの処理を、図１４を用いて説明する。
【００６１】
まず、操作制御装置２のスクリプト記述手段５において、インターネットＷＷＷサーバー２０のインターネットドキュメントをプリンタ装置１で印刷するまでの一連の流れを示したスクリプトを記述する（ステップＳ１）。例えば、ここでは、インターネットドキュメントのどの部分を何枚印刷するか、あるいは、用紙にどのように配置して出力するかといった内容もスクリプトによって記述することができる。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００６２】
受け取ったスクリプトは、一旦スクリプト保存手段１２によってストレージ１３に蓄えられる（ステップＳ５）、次にスクリプト処理手段８によって順番に読みこまれた後、内容が解析され（ステップＳ６）、通信手段７からインターネットＷＷＷサーバー２０に対してインターネットドキュメントのダウンロードが指示される（ステップＳ７）。インターネットＷＷＷサーバー２０からの受信（ステップＳ８）が完了すると、プリンタ装置１で受け取られたインターネットドキュメントは印刷手段９によって印刷出力されて（ステップＳ９）、一連のスクリプト処理が完了する。
【００６３】
以上のように、本発明の実施の形態によれば、操作制御装置２とプリンタ装置１とインターネットＷＷＷサーバー２０がネットワーク４に接続され、操作制御装置２からプリンタ装置１に対してスクリプトを送信するようにしているので、インターネットＷＷＷサーバー２０からインターネットドキュメントを読み込んでプリンタ装置１で出力する一連の処理をバッチ的に行うことができる。
【００６４】
また、プリンタ装置１に関して、受信したスクリプトを一旦保存するためのスクリプト保存手段１２とストレージ１３が設けられているので、利用者が複数同時に操作指示を行っても、同時に操作指示を完了することが可能となる。
【００６５】
（実施の形態６）
図１５は本発明の実施の形態６におけるネットワークプリントシステムを示すブロック図、図１６は図１５のネットワークプリントシステムの各構成要素を詳細に示すブロック図、図１７は図１５のネットワークプリントシステムの動作を示すフローチャートである。
【００６６】
図１５に示すように、本実施の形態のネットワークプリントシステムでは、インターネットメールサーバー２１がネットワーク４上に接続されている点で実施の形態１及び実施の形態２に示すものと異なっている。
【００６７】
図１６に示すようにプリンタ装置１は、実施の形態１及び実施の形態２に示したものに比べて、メール送信手段２２を新たに備えている。
【００６８】
以上のように構成されたネットワークプリントシステムにおいて、スキャナ装置３で読み取った原稿画像をプリンタ装置１で印刷し、また、同時に電子メールで送信するまでの処理を、図１７を用いて説明する。
【００６９】
まず、操作制御装置２のスクリプト記述手段５において、スキャナ装置３で原稿画像を読み取ってプリンタ装置１で印刷し、電子メールで送信するまでの一連の流れを示したスクリプトを記述する（ステップＳ１）。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００７０】
受け取ったスクリプトは、一旦スクリプト保存手段１２によってストレージ１３に蓄えられる（ステップＳ５）、次にスクリプト処理手段８によって順番に読みこまれた後、内容が解析され（ステップＳ６）、通信手段７からスキャナ装置３に対して原稿画像の読取りとプリンタ装置１への送信が指示される（ステップＳ７）。一方、スキャナ装置３では、プリンタ装置１からの指示を通信手段１０で受けて、実際に読取手段１１によって原稿画像の読取りを実行し、更に、データを通信手段１０からプリンタ装置１の通信手段７に送信する（ステップＳ８）。
【００７１】
その後、プリンタ装置１で受け取られた原稿画像は印刷手段９によって印刷出力される（ステップＳ９）、また同時に、同原稿画像をメール送信手段２２によってインターネットメールサーバー２１に送ることで電子メールとして送信することができる（ステップＳ１０）。ここで一連のスクリプト処理が完了する。
【００７２】
以上のように、本発明の実施の形態によれば、操作制御装置２とプリンタ装置１とスキャナ装置３がネットワーク４に接続され、操作制御装置２からプリンタ装置１に対してスクリプトを送信するようにしているので、スキャナ装置３から原稿画像を読み込んでプリンタ装置１で出力し、かつ電子メールで送信する一連の処理をバッチ的に行うことができる。
【００７３】
（実施の形態７）
図１８は本発明の実施の形態７におけるネットワークプリントシステムを示すブロック図、図１９は図１８のネットワークプリントシステムの各構成要素を詳細に示すブロック図、図２０は図１８のネットワークプリントシステムの動作を示すフローチャートである。
【００７４】
図１８に示すように、本実施の形態のネットワークプリントシステムでは、ファクシミリサーバー２３がネットワーク４上に接続されている点で実施の形態１及び実施の形態２に示すものと異なっている。ここでは、ファクシミリサーバーを使って送信する例を示すが、例えばモデム等を利用しての送信でも構わない。
【００７５】
図１９に示すようにプリンタ装置１は、実施の形態１及び実施の形態２に示したものに比べて、ファクシミリ送信手段２４を新たに備えている。
【００７６】
以上のように構成されたネットワークプリントシステムにおいて、スキャナ装置３で読み取った原稿画像をプリンタ装置１で印刷し、また、同時にファクシミリで送信するまでの処理を、図２０を用いて説明する。
【００７７】
まず、操作制御装置２のスクリプト記述手段５において、スキャナ装置３で原稿画像を読み取ってプリンタ装置１で印刷し、ファクシミリで送信するまでの一連の流れを示したスクリプトを記述する（ステップＳ１）。次に実行するスクリプトを選択するが（ステップＳ２）、この場合、予め記述されているスクリプトを選ぶこともできる。次に選択されたスクリプトは通信手段６に渡され（ステップＳ３），ネットワーク４を経由してプリンタ装置１の通信手段７に送信される（ステップＳ４）。
【００７８】
受け取ったスクリプトは、一旦スクリプト保存手段１２によってストレージ１３に蓄えられる（ステップＳ５）、次にスクリプト処理手段８によって順番に読みこまれた後、内容が解析され（ステップＳ６）、通信手段７からスキャナ装置３に対して原稿画像の読取りとプリンタ装置１への送信が指示される（ステップＳ７）。一方、スキャナ装置３では、プリンタ装置１からの指示を通信手段１０で受けて、実際に読取手段１１によって原稿画像の読取りを実行し、更に、データを通信手段１０からプリンタ装置１の通信手段７に送信する（ステップＳ８）。
【００７９】
その後、プリンタ装置１で受け取られた原稿画像は印刷手段９によって印刷出力される（ステップＳ９）、また同時に、同原稿画像をファクシミリ送信手段２４によってファクシミリサーバー２３に送ることでファクシミリとして送信することができる（ステップＳ１０）。ここで一連のスクリプト処理が完了する。
【００８０】
以上のように、本発明の実施の形態によれば、操作制御装置２とプリンタ装置１とスキャナ装置３がネットワーク４に接続され、操作制御装置２からプリンタ装置１に対してスクリプトを送信するようにしているので、スキャナ装置３から原稿画像を読み込んでプリンタ装置１で出力し、かつファクシミリで送信する一連の処理をバッチ的に行うことができる。
【００８１】
（実施の形態８）
図２１は本発明の実施の形態８におけるネットワークプリントシステムの各構成要素を詳細に示すブロック図、図２２は図２１のネットワークプリントシステムの動作を示すフローチャートである。
【００８２】
図２１に示すように、本実施の形態のネットワークプリントシステムでは、スクリプト処理手段２５がスキャナ装置に配置されている点で実施の形態１に示すものと異なっている。
【００８３】
以上のように構成されたネットワークプリントシステムにおいて、スキャナ装置３で読み取った原稿画像をプリンタ装置１で印刷するまでの処理を、図２２を用いて説明する。
【００８４】
まず、操作制御装置２のスクリプト記述手段５において、スキャナ装置３で原稿画像を読み取ってプリンタ装置１で印刷するまでの一連の流れを示したスクリプトを記述する（ステップＳ１）。次に実行するスクリプトを選択するが（ステップＳ２）、この場合、あらかじめ記述されているスクリプトを選ぶこともできる。次に選択されたスクリプトは通信手段６に渡され（ステップＳ３），ネットワーク４を経由してスキャナ装置３の通信手段１０に送信される（ステップＳ４）。
【００８５】
受け取ったスクリプトは、スクリプト処理手段２５によって内容を解析され（ステップＳ５）、原稿画像の読取りを実行し、更に、読み取ったデータを通信手段１０からプリンタ装置１の通信手段７に送信する（ステップＳ６）。
【００８６】
その後、プリンタ装置１で受信された原稿画像（ステップＳ７）は印刷手段９によって印刷出力されて（ステップＳ８）、一連のスクリプト処理が完了する。
【００８７】
以上のように、本発明の実施の形態によれば、操作制御装置２とプリンタ装置１とスキャナ装置３がネットワーク４に接続され、操作制御装置２からスキャナ装置３に対してスクリプトを送信するようにしているので、スキャナ装置３から原稿画像を読み取ってプリンタ装置１で出力する一連の処理をバッチ的に行うことができる。
【００８８】
本実施の形態７ではスキャナ装置３にスクリプト処理手段を配置した例であるが、前記電子黒板装置１４および前記デジタルカメラ装置１７でも同等の構成にすることで本実施の形態と同等の効果が得られる。
【００８９】
（実施の形態９）
図２３は本発明の実施の形態９におけるネットワークプリントシステムを示すブロック図、図２４は図２３のネットワークプリントシステムの各構成要素を詳細に示すブロック図、図２５は図２３のネットワークプリントシステムの動作を示すフローチャートである。
【００９０】
図２４に示すように、本実施の形態のネットワークプリントシステムでは、スクリプト記述手段２６がプリンタ装置に配置されており、プリンタ装置とスキャナ装置のみで構成されている点で実施の形態１に示すものと異なっている。
【００９１】
以上のように構成されたネットワークプリントシステムにおいて、スキャナ装置３で読み取った原稿画像をプリンタ装置１で印刷するまでの処理を、図２５を用いて説明する。
【００９２】
まず、プリンタ装置１のスクリプト記述手段２６において、スキャナ装置３で原稿画像を読み取ってプリンタ装置１で印刷するまでの一連の流れを示したスクリプトを記述する（ステップＳ１）。次に実行するスクリプトを選択するが（ステップＳ２）、この場合、予め記述されているスクリプトを選ぶこともできる。
【００９３】
次にスクリプトは、スクリプト処理手段８によって内容を解析され（ステップＳ３）、通信手段７からスキャナ装置３に対して原稿画像の読取りとプリンタ装置１への送信が指示される（ステップＳ４）。一方、スキャナ装置３では、プリンタ装置１からの指示を通信手段１０で受けて、実際に読取手段１１によって原稿画像の読取りを実行し、更に、データを通信手段１０からプリンタ装置１の通信手段７に送信する（ステップＳ５）。
【００９４】
その後、プリンタ装置１で受け取られた原稿画像は印刷手段９によって印刷出力されて（ステップＳ６）、一連のスクリプト処理が完了する。
【００９５】
以上のように、本発明の実施の形態によれば、プリンタ装置１にスクリプト記述手段２６を備えているので、操作制御装置がなくてもスキャナ装置３から原稿画像を読み取ってプリンタ装置１で出力する一連の処理をバッチ的に行うことができる。
【００９６】
また、本実施の形態ではプリンタ装置にスクリプト記述手段を備える構成としたが、スキャナ装置または電子黒板装置またはデジタルカメラ装置など入力装置側に備える場合においても同等の作用が可能となる。
【００９７】
【発明の効果】
以上のように、本発明によれば、デジタルカメラ装置（以下入力装置という）には通信手段及び前記プリンタ装置の動作に関するスクリプトを記述するためのスクリプト記述手段を備え、前記プリンタ装置には通信手段及び前記スクリプトを解読して実行するためのスクリプト処理手段を備えているため、入力装置からプリンタ装置に画像を直接出力する場合、複数の命令処理をバッチ的に処理することが可能となるという有効な効果が得られる。
【図面の簡単な説明】
【図１】本発明の実施の形態１におけるネットワークプリントシステムを示すブロック図
【図２】図１のネットワークプリントシステムの各構成要素を詳細に示すブロック図
【図３】図１のネットワークプリントシステムの動作を示すフローチャート
【図４】本発明の実施の形態２におけるネットワークプリントシステムの各構成要素を詳細に示すブロック図
【図５】図４のネットワークプリントシステムの動作を示すフローチャート
【図６】本発明の実施の形態３におけるネットワークプリントシステムを示すブロック図
【図７】図６のネットワークプリントシステムの各構成要素を詳細に示すブロック図
【図８】図６のネットワークプリントシステムの動作を示すフローチャート
【図９】本発明の実施の形態４におけるネットワークプリントシステムを示すブロック図
【図１０】図９のネットワークプリントシステムの各構成要素を詳細に示すブロック図
【図１１】図９のネットワークプリントシステムの動作を示すフローチャート
【図１２】本発明の実施の形態５におけるネットワークプリントシステムを示すブロック図
【図１３】図１２のネットワークプリントシステムの各構成要素を詳細に示すブロック図
【図１４】図１２のネットワークプリントシステムの動作を示すフローチャート
【図１５】本発明の実施の形態６におけるネットワークプリントシステムを示すブロック図
【図１６】図１５のネットワークプリントシステムの各構成要素を詳細に示すブロック図
【図１７】図１５のネットワークプリントシステムの動作を示すフローチャート
【図１８】本発明の実施の形態７におけるネットワークプリントシステムを示すブロック図
【図１９】図１８のネットワークプリントシステムの各構成要素を詳細に示すブロック図
【図２０】図１８のネットワークプリントシステムの動作を示すフローチャート
【図２１】本発明の実施の形態８におけるネットワークプリントシステムの各構成要素を詳細に示すブロック図
【図２２】図２１のネットワークプリントシステムの動作を示すフローチャート
【図２３】本発明の実施の形態９におけるネットワークプリントシステムを示すブロック図
【図２４】図２３のネットワークプリントシステムの各構成要素を詳細に示すブロック図
【図２５】図２３のネットワークプリントシステムの動作を示すフローチャート
【図２６】従来のネットワークプリントシステムを示すブロック図
【図２７】図２６のネットワークプリントシステムの各構成要素を詳細に示すブロック図
【図２８】図２６のネットワークプリントシステムの動作を示すフローチャート
【符号の説明】
１  プリンタ装置
２  操作制御装置
３  スキャナ装置
４  ネットワーク
５、２６  スクリプト記述手段
６、７、１０、１５、１８、２８  通信手段
８  スクリプト処理手段
９  印刷手段
１１、１６  読取手段
１２、２５  スクリプト保存手段
１３  ストレージ
１４  電子黒板装置
１７  デジタルカメラ装置
１９  読込手段
２０  インターネットＷＷＷサーバー
２１  インターネットメールサーバー
２２  メール送信手段
２３  ファクシミリサーバー
２４  ファクシミリ送信手段
２７  コンピュータ
２９  プリンタドライバ
【図１】
0004168499.tif 000002
【図２】
0004168499.tif 000003
【図３】
0004168499.tif 000004
【図４】
0004168499.tif 000005
【図５】
0004168499.tif 000006
【図６】
0004168499.tif 000007
【図７】
0004168499.tif 000008
【図８】
0004168499.tif 000009
【図９】
0004168499.tif 000010
【図１０】
0004168499.tif 000011
【図１１】
0004168499.tif 000012
【図１２】
0004168499.tif 000013
【図１３】
0004168499.tif 000014
【図１４】
0004168499.tif 000015
【図１５】
0004168499.tif 000016
【図１６】
0004168499.tif 000017
【図１７】
0004168499.tif 000018
【図１８】
0004168499.tif 000019
【図１９】
0004168499.tif 000020
【図２０】
0004168499.tif 000021
【図２１】
0004168499.tif 000022
【図２２】
0004168499.tif 000023
【図２３】
0004168499.tif 000024
【図２４】
0004168499.tif 000025
【図２５】
0004168499.tif 000026
【図２６】
0004168499.tif 000027
【図２７】
0004168499.tif 000028
【図２８】
0004168499.tif 000029